(57)【要約】【課題】積み重ねて収納する複数の光記録媒体の内容等を表示するしおりを提供する。【解決手段】ホルダー１０に立設した支持柱１２に中心孔３１を挿通し積み重ねて収納する複数の光記録媒体３０の内容を表示する光記録媒体用しおり４００であって、積み重ねた光記録媒体３０の間に挟装可能な短冊状の本体４０１と、円形の挿通孔が空けられた挿通部４０２と、光記録媒体３０の外周部より外側にはみ出す表示部４０３と、を有する。【選択図】図１
2007118992.tif 000002
【特許請求の範囲】
【請求項１】
円盤形状の光記録媒体の中心孔に挿通可能な支持柱を立設したホルダーに、前記中心孔を前記支持柱に挿通することにより複数の前記光記録媒体を積み重ねて担持する際に用いる光記録媒体用しおりであって、
積み重ねた前記光記録媒体の間に挟装可能な短冊状の本体と、
前記本体に形成され、前記支持柱が挿通可能な所定の形状を有する挿通部と、
前記本体の少なくとも一端に設けられ、且つ、前記支持柱を前記挿通部に挿通するとき、前記光記録媒体の外周部より外側にはみ出す表示部と、
を有することを特徴とする光記録媒体用しおり。
【請求項２】
前記挿通部は、前記中心孔と略同一形状の挿通孔が形成されることを特徴とする請求項１記載の光記録媒体用しおり。
【請求項３】
前記挿通部は、前記中心孔より大きな径を有する形状の挿通孔が形成されることを特徴とする請求項１記載の光記録媒体用しおり。
【請求項４】
前記挿通部は、当該挿通部の一部が欠けた切り欠きが形成されることを特徴とする請求項１記載の光記録媒体用しおり。
【請求項５】
請求項１乃至４のいずれか１項に記載の光記録媒体用しおりと、
円盤形状の光記録媒体の中心孔に挿通可能な支持柱が立設された底部を有するホルダーと、
上板及び前記上板の周囲に沿って前記上板から下方に延びて形成された外周壁を有するカバーと、
を有する光記録媒体収容用ケース。
【請求項６】
前記上板と前記外周壁とが形成する空間内に前記支持柱を収容するように前記カバーを前記ホルダーに被せた場合に、前記外周壁の下端部が前記底部に嵌合するように形成されることを特徴とする請求項５記載の光記録媒体収容用ケース。
【請求項７】
前記ホルダーは、当該ホルダーに装着する筆記具を備えることを特徴とする請求項５又は６に記載の光記録媒体収容用ケース。
【請求項８】
前記カバーは、当該カバーに装着する筆記具を備えることを特徴とする請求項５又は６に記載の光記録媒体収容用ケース。
【請求項９】
前記筆記具が、油性ペンまたは水性ペンであることを特徴とする請求項７又は８に記載の光記録媒体収容用ケース。
【発明の詳細な説明】
【技術分野】
【０００１】
本発明は、光記録媒体用しおりに関し、より詳しくは、複数の光記録媒体を積み重ねて収納する際に用いる光記録媒体用しおりに関する。
【背景技術】
【０００２】
従来、ＣＤ−Ｒ、ＤＶＤ−Ｒ等の光記録媒体を複数枚積み重ねて収納、運搬するためのディスク収納ケースが知られている（特許文献１参照）。このようなディスク収納ケースは、例えば、図１２に示すような構造を有している。即ち、図１２に示すように、ディスク収納ケース（以下、「光記録媒体収容用ケース」という場合がある。）１００は、ホルダー１０とカバー２０とから構成される。ホルダー１０は、円盤状の底部１１と、その底部１１の上面中央から上方に立設する断面円形の支持柱１２とを有する。支持柱１２の外径は、底部１１上に積み重ねた複数の光記録媒体３０の各中心孔３１に挿通できる太さにする。支持柱１２の長さは、保管する光記録媒体３０の枚数に合せた長さにする。
カバー２０は、中央部に突起部２３を設けた円形の上板２１と、その周囲からほぼ垂直に下方に延びる外周壁２２とから構成され、その内部に、底部１１上に積み重ねた複数の光記録媒体３０を収納する収納空間を形成している。
【０００３】
ディスク収納ケース１００に複数の光記録媒体３０を収納する場合、各光記録媒体３０の中心孔３１に支持柱１２をそれぞれ挿通し、底部１１上に光記録媒体３０を積み重ねる。尚、各光記録媒体３０は、中央部に円形のクランピングエリア３２を有し、クランピングエリア３２の中心に中心孔３１が形成されている。
光記録媒体３０を所定数積み重ねた後、ホルダー１０にカバー２０を被せ、カバー２０の外周壁２２の下端部を、底部１１の上部外周部を囲み、かつ底部１１の上側に張り出した外周縁部１１’の内側に嵌めながら、カバー２０の内部空間内に底部１１上に積み重ねた光記録媒体３０を収納する。
【０００４】
【特許文献１】特開２００１−３１５８８２号公報
【発明の開示】
【発明が解決しようとする課題】
【０００５】
ところで、通常、光記録媒体のレーベル面にその光記録媒体に記録された情報等の内容を表示するのが一般的であるが、前述したディスク収納ケースのように、複数の光記録媒体を積み重ねて収納した場合、レーベル面が隠れてしまう。そのため、光記録媒体を複数枚重ねて収納した状態で、各光記録媒体の内容を一目で認識できる手段が求められている。
【０００６】
本発明は、このような問題を解決するためになされたものである。
即ち、本発明の目的は、複数の光記録媒体を積み重ねて収納する際に、積み重ねた光記録媒体の内容等を表示するための光記録媒体用しおりを提供することにある。
【課題を解決するための手段】
【０００７】
上記の課題を解決するために、本発明によれば、下記（１）〜（９）が提供される。
（１）  円盤形状の光記録媒体の中心孔に挿通可能な支持柱を立設したホルダーに、中心孔を支持柱に挿通することにより複数の光記録媒体を積み重ねて担持する際に用いる光記録媒体用しおりであって、積み重ねた光記録媒体の間に挟装可能な短冊状の本体と、本体に形成され、支持柱が挿通可能な所定の形状を有する挿通部と、本体の少なくとも一端に設けられ、且つ、支持柱を挿通部に挿通するとき、光記録媒体の外周部より外側にはみ出す表示部と、を有することを特徴とする光記録媒体用しおり。
（２）  挿通部は、中心孔と略同一形状の挿通孔が形成されることを特徴とする前記（１）記載の光記録媒体用しおり。
（３）  挿通部は、中心孔より大きな径を有する形状の挿通孔が形成されることを特徴とする前記（１）記載の光記録媒体用しおり。
（４）  挿通部は、挿通部の一部が欠けた切り欠きが形成されることを特徴とする前記（１）記載の光記録媒体用しおり。
【０００８】
（５）  前記（１）乃至（４）のいずれか１項に記載の光記録媒体用しおりと、円盤形状の光記録媒体の中心孔に挿通可能な支持柱が立設された底部を有するホルダーと、上板及び上板の周囲に沿って上板から下方に延びて形成された外周壁を有するカバーと、を有する光記録媒体収容用ケース。
（６）  上板と外周壁とが形成する空間内に支持柱を収容するようにカバーをホルダーに被せた場合に、外周壁の下端部が底部に嵌合するように形成されることを特徴とする前記（５）に記載の光記録媒体収容用ケース。
（７）  ホルダーは、ホルダーに装着する筆記具を備えることを特徴とする前記（５）又は（６）に記載の光記録媒体収容用ケース。
（８）  カバーは、カバーに装着する筆記具を備えることを特徴とする前記（５）又は（６）に記載の光記録媒体収容用ケース。
（９）  筆記具が、油性ペンまたは水性ペンであることを特徴とする前記（７）又は（８）に記載の光記録媒体収容用ケース。
【発明の効果】
【０００９】
本発明によれば、光記録媒体を複数枚重ねて収納した状態で、各光記録媒体の内容を一目で認識できる。
【発明を実施するための最良の形態】
【００１０】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
図１は、光記録媒体用しおりの第１の実施形態を説明するための図である。図１（ａ）は、ホルダー１０と光記録媒体３０及び光記録媒体用しおり４００の位置関係を示し、図１（ｂ）は、光記録媒体用しおり４００を光記録媒体３０及びホルダー１０に装着する様子を示している。
ここで、光記録媒体３０は円盤形状を有している。光記録媒体３０としては、具体的には、ＣＤ−Ｒ、ＣＤ−ＲＷ、ＤＶＤ−Ｒ、書き換え型ＤＶＤ、青色レーザ対応の光記録媒体を挙げることができる。
【００１１】
図１（ａ）に示すように、光記録媒体用しおり４００は、所定の厚さを有する細長い短冊状の本体４０１を有している。本体４０１の一端を構成する挿通部４０２には、ホルダー１０の支持柱１２が挿通可能なように支持柱１２の径と略同一径の挿通孔が空けられている。本体４０１の挿通部４０２とは反対側の他端には、所定の情報を表示する表示部４０３が設けられている。
【００１２】
図１（ｂ）に示すように、光記録媒体用しおり４００は、円盤形状の光記録媒体３０の中心孔３１に挿通可能な支持柱１２を立設したホルダー１０に、中心孔３１を支持柱１２に挿通することにより、ホルダー１０の底部１１上に複数の光記録媒体３０を積み重ねて担持する際に、挿通部４０２の挿通孔を支持柱１２に挿通し、且つ、積み重ねた光記録媒体３０の間に挟装して使用する。この結果、短冊状の本体４０１が各光記録媒体３０の間に狭装されることとなる。
【００１３】
ここで、図１（ｂ）に示すように、光記録媒体用しおり４００の表示部４０３は、支持柱１２を挿通部４０２に挿通して光記録媒体用しおり４００を積み重ねた光記録媒体３０の間に挟装するとき、光記録媒体３０の外周部より外側にはみ出している。このため、表示部４０３に、例えば、光記録媒体３０に記録した所定の情報の内容等を記載しておくと、光記録媒体３０を複数枚重ねた状態で、各光記録媒体３０の内容を一目で認識することができる。上記所定の情報の内容としては、例えば、光記録媒体３０が映画を録画したＤＶＤ−Ｒである場合は、映画のタイトル、録画時間、録画日等を挙げることができる。また、上記所定の情報の内容としては、例えば、光記録媒体３０が音楽を録音したＣＤ−Ｒである場合は、音楽のジャンル、楽曲のタイトル、演奏者等を挙げることができる。
【００１４】
図２は、光記録媒体用しおりの他の実施形態を説明するための図である。
図２（ａ）に示すように、光記録媒体用しおり４００は、所定の長さＬと幅Ｄとを有する短冊状の本体４０１と、本体４０１の一端に円形の挿通孔が空けられている挿通部４０２と、挿通部４０２とは反対側の他端の長さＨの部分に設けた表示部４０３とを有している。つまり、本体４０１は、一端側に挿通部４０２が設けられ、他端側に表示部４０３が設けられて、光記録媒体用しおり４００を形成している。
【００１５】
短冊状の本体４０１（光記録媒体用しおり４００）の全体の長さＬは、通常、６５ｍｍ〜９０ｍｍである。幅Ｄは、通常、１５ｍｍ〜３０ｍｍである。本体４０１の一端の挿通部４０２に空けられた円形の挿通孔の径は、光記録媒体３０の中心孔３１（図１参照）の径と略同一であり、通常、１０ｍｍ〜１５ｍｍである。また、挿通部４０２の長さＳは、通常、１５ｍｍ〜３０ｍｍである。さらに、本体４０１の他端に設けた表示部４０３の長さＨは、通常、２ｍｍ〜２５ｍｍである。尚、光記録媒体用しおり４００の厚さは、通常、０．０１ｍｍ〜０．２ｍｍである。
【００１６】
また、光記録媒体用しおり４００を構成する材料は、本体４０１に適度な剛性、柔軟性を与え、繰り返し使用に耐える耐久性を付与し得るものであれば特に限定されないが、例えば、紙材料、繊維材料、プラスチック材料、金属材料等が挙げられる。
【００１７】
本実施の形態が適用される光記録媒体用しおり４００は、本体４０１が、細長い短冊状に形成されていることにより、以下の利点が発揮される。つまり、光記録媒体用しおり４００の表示部４０３を持ち上げることにより、この光記録媒体用しおり４００のすぐ下にある光記録媒体３０のレーベルを容易に見ることが可能である（図１（ｂ）参照）。したがって、細長い短冊形状を採用することにより、光記録媒体３０の検索の際に、所望の情報が記録された光記録媒体３０であるか否かの判断が容易である（図１（ｂ）参照）。この結果、所望の情報が記録された光記録媒体３０の検索を迅速かつ簡易に行うことができる。
【００１８】
図２（ｂ）に示す光記録媒体用しおり４１０は、短冊状の本体４１１と、本体４１１の一端に挿通孔が空けられている挿通部４１２と、挿通部４１２とは反対側の他端に設けた表示部４１３とを有している。つまり、本体４１１は、一端側に挿通部４１２が設けられ、他端側に表示部４１３が設けられて、光記録媒体用しおり４１０を形成している。
図２（ｂ）に示すように、挿通部４１２には、光記録媒体３０の中心孔３１（図１参照）より大きな径を有する四辺形の挿通孔が空けられている。挿通部４１２に空けられた挿通孔の径が光記録媒体３０の中心孔３１（図１参照）より大きいと、ホルダー１０の中央に立設した支持柱１２（図１参照）を挿通部４１２に容易に挿通することができる。尚、挿通部４１２に空けられる挿通孔の形状は四辺形に限定されず必要に応じて種々変更することができる。孔の形状としては、例えば、円形（中心孔３１（図１参照）よりも大きな直径を有する円形）、正三角形、正五角形、六角形、八角形、星形を挙げることができる。
【００１９】
図２（ｃ）に示す光記録媒体用しおり４２０は、短冊状の本体４２１と、ホルダー１０の中央に立設した支持柱１２（図１参照）が挿通するように形成された挿通部４２２と、挿通部４２２とは反対側の他端に設けた表示部４２３とを有している。つまり、本体４２１は、一端側に挿通部４２２が設けられ、他端側に表示部４２３が設けられて、光記録媒体用しおり４２０を形成している。
図２（ｃ）に示すように、挿通部４２２には、本体４２１の片側の一部が欠けて自由端４２２ｆになるように切り欠きが形成されている。挿通部４２２が切り欠き形状であることにより、光記録媒体用しおり４２０をホルダー１０の中央に立設した支持柱１２（図１参照）に取り付ける際に、切り欠き部分が支持柱１２の導入口となり、容易に切り欠き部から支持柱１２にはめ込むことができる。
【００２０】
同様に、図２（ｄ）に示す光記録媒体用しおり４３０は、短冊状の本体４３１と、切り欠きが形成された挿通部４３２と、挿通部４３２とは反対側の他端に設けた表示部４３３とを有している。つまり、本体４３１は、一端側に挿通部４３２が設けられ、他端側に表示部４３３が設けられて、光記録媒体用しおり４３０を形成している。
図２（ｄ）に示すように、挿通部４３２に形成された切り欠きは、図２（ｃ）に示した光記録媒体用しおり４２０と比較して、円弧状に切り取られた自由端４３２ｆの先端が細くなるように形成されているので、ホルダー１０の中央に立設した支持柱１２（図１参照）に装着した光記録媒体用しおり４３０がはずれにくくなる。また、自由端４３２ｆに対向する部分４３１ｅが曲線状に丸められているため、ホルダー１０の中央に立設した支持柱１２（図１参照）を、さらに容易に挿通部４３２に導入することができる。
【００２１】
図３は、さらに、光記録媒体用しおりの他の実施形態を説明するための図である。
図３（ａ）に示す光記録媒体用しおり４４０は、短冊状の本体４４１と、本体４４１の略中央部に挿通孔が空けられている挿通部４４２と、本体４４１の両端にそれぞれ設けた表示部４４３ａ，４４３ｂとを有している。図３（ａ）に示すように、光記録媒体用しおり４４０は、本体４４１の両端にそれぞれ表示部４４３ａ，４４３ｂを有することにより、複数枚重ねた状態の光記録媒体３０（図１参照）の両側から、各光記録媒体３０の記録内容等を認識することができる。
【００２２】
図３（ｂ）に示す光記録媒体用しおり４５０は、短冊状の本体４５１と、本体４５１の略中央部に挿通孔が空けられている挿通部４５２と、本体４５１の両端にそれぞれ設けた表示部４５３ａ，４５３ｂとを有している。図３（ｂ）に示すように、光記録媒体用しおり４５０は、中央部分の幅が両端部分の幅より大きく、全体として楕円形状を有している。
【００２３】
（ディスク収納ケースの装備品）
次に、光記録媒体用しおり４００とともに、ディスク収納ケース１００に装着する装備品について説明する。このような装備品としては、具体的には筆記具を挙げることができる。
（第１の実施形態）
図４は、筆記具の第１の実施形態を説明するための図である。具体的には、図４は、ホルダー１０に装着する筆記具５００を説明するための図である。図４（ａ）は、筆記具５００の平面図であり、図４（ｂ）は、筆記具５００をホルダー１０（光記録媒体収容用ケース１００）に装着する様子を示している。なお、図４（ｂ）においては、説明の便宜から、光記録媒体収容用ケース１００の中、カバー２０の図示を省略している。また、図４（ｃ）は、キャップ部５０５を備えた筆記具５００の平面図である。
【００２４】
図４（ａ）に示すように、筆記具５００は、短冊状の筆記具本体５０１と、筆記具本体５０１に形成され、支持柱１２が挿通可能な円形の挿通孔を有する筆記具挿通部５０２と、筆記具本体５０１の少なくとも一端側に設けられたペン部５０３と、を有している。つまり、筆記具本体５０１は、一端側に筆記具挿通部５０２が設けられ、他端側にペン部５０３が設けられて、筆記具５００を形成している。ここで、筆記具本体５０１を構成する材料は、特に限定されないが、例えば、ゴム材料、プラスチック材料等が挙げられる。
【００２５】
図４（ｂ）に示すように、筆記具５００は、積み重ねた複数の光記録媒体３０を担持するホルダー１０の底部１１に立設した支持柱１２に、筆記具挿通部５０２の挿通孔を挿通することにより、ホルダー１０に装着する。このとき、ホルダー１０は、光記録媒体３０の中心孔３１を支持柱１２に挿通することにより、ホルダー１０の底部１１上に複数の光記録媒体３０を積み重ねて担持している。また、積み重ねた光記録媒体３０の間に挟装した光記録媒体用しおり４００の表示部４０３は、光記録媒体３０の外周部より外側にはみ出している。なお、当然ながら、筆記具５００は、上方に引き上げることにより、ホルダー１０（光記録媒体収容用ケース１００）から取り外すことができる。
【００２６】
筆記具挿通部５０２に設けられる円形の挿通孔の径は、ホルダー１０の中央部に立設した支持柱１２が挿通可能であれば特に限定されず、通常、１５ｍｍ〜３０ｍｍである。また、筆記具５００の長さは、通常、光記録媒体の半径よりも小さくする。これにより、筆記具５００が、光記録媒体３０の外径から外にはみ出すことが無くなる。この結果、筆記具５００が、光記録媒体収容用ケース１００内に確実に収納されるようになる。このため、筆記具５００の長さＬは、通常、１５ｍｍ〜６５ｍｍとする。一方、筆記具５００の幅Ｄは、通常、１５ｍｍ〜３０ｍｍである。また、筆記具挿通部５０２の長さＳは、通常、１５ｍｍ〜３０ｍｍである。さらに、筆記具５００の厚みは、通常１ｍｍ〜１０ｍｍとする。
【００２７】
また、ペン部５０３は、光記録媒体用しおり４００の表示部４０３や、光記録媒体３０のレーベル面に所定の情報等を書き込めるものであれば特に限定されないが、例えば、水性ペン、油性ペン等が挙げられる。ペン先は光記録媒体３０の表面（レーベル面）を傷つける恐れが少ない柔らかいもの（例えば、フェルト状のもの）が好ましい。これらのうち、表示部４０３に記載した情報がかすれたり消えたりしないようにするために、水性ペン、油性ペンを用いることが好ましい。なお、このペンの種類に関しては後述の実施形態においても同様とすればよい。
【００２８】
ペン部５０３の種類によって、インクが乾いて筆記が困難となるおそれがある場合には、図４（ｃ）に示すように、ペン部５０３にキャップ部５０５を設けることが好ましい。つまり、キャップ部５０５を筆記具本体５０１の一部を構成するように設けて、筆記具５００を形成することが好ましい。キャップ部５０５には、ペン部５０３に対応してペン受け部５０４が形成されており、筆記具５００の使用に際して、キャップ部５０５を取り外せるようになっている（Ｃ１→Ｃ２）。なお、このようなキャップ部５０５は、後述の実施態様（図５、図６）においても適宜用いることができることはいうまでもない。
筆記具５００を用いることにより、光記録媒体３０に記録した情報等を、光記録媒体用しおり４００の表示部４０３や、光記録媒体３０のレーベル面に書き込む際における使い勝手が向上する。
【００２９】
図５は、第１の実施形態の他の形態を説明するための図である。図５（ａ）〜図５（ｃ）は、それぞれ筆記具５１０、筆記具５２０、筆記具５３０の平面図である。
図５（ａ）に示す筆記具５１０は、短冊状の筆記具本体５１１と、本体５１１の一端に挿通孔が空けられている筆記具挿通部５１２と、筆記具挿通部５１２とは反対側の他端に設けたペン部５１３とを有している。つまり、筆記具本体５１１は、一端側に筆記具挿通部５１２が設けられ、他端側にペン部５１３が設けられて、筆記具５１０を形成している。
【００３０】
図５（ａ）に示すように、筆記具挿通部５１２には、光記録媒体３０の中心孔３１（図１（ｂ）参照）より大きな径を有する四辺形の挿通孔が空けられている。筆記具挿通部５１２に空けられた挿通孔の径が光記録媒体３０の中心孔３１（図１（ｂ）参照）より大きいと、ホルダー１０の中央に立設した支持柱１２（図１（ｂ）参照）を筆記具挿通部５１２に容易に挿通することができる。尚、筆記具挿通部５１２に空けられる挿通孔の形状は四辺形に限定されず必要に応じて種々変更することができる。挿通孔の形状としては、例えば、円形（中心孔３１（図１（ｂ）参照）よりも大きな直径を有する円形）、正三角形、正五角形、六角形、八角形、星形を挙げることができる。
【００３１】
図５（ｂ）に示す筆記具５２０は、短冊状の筆記具本体５２１と、ホルダー１０の中央に立設した支持柱１２（図１（ｂ）参照）が挿通するように形成された筆記具挿通部５２２と、筆記具挿通部５２２とは反対側の他端に設けたペン部５２３とを有している。つまり、筆記具本体５２１は、一端側に筆記具挿通部５２２が設けられ、他端側にペン部５２３が設けられて、筆記具５２０を形成している。
図５（ｂ）に示すように、筆記具挿通部５２２には、筆記具本体５２１の片側の一部が欠けて自由端５２２ｆになるように切り欠きが形成されている。筆記具挿通部５２２が切り欠き形状であることにより、筆記具５２０をホルダー１０の中央に立設した支持柱１２（図１（ｂ）参照）に取り付ける際に、切り欠き部分が支持柱１２の導入口となり、容易に切り欠き部から支持柱１２にはめ込むことができる。同様に、筆記具５２０をホルダー１０から容易に取り外しをすることもできる。
【００３２】
同様に、図５（ｃ）に示す筆記具５３０は、短冊状の筆記具本体５３１と、切り欠きが形成された筆記具挿通部５３２と、筆記具挿通部５３２とは反対側の他端に設けたペン部５３３とを有している。つまり、筆記具本体５３１は、一端側に筆記具挿通部５３２が設けられ、他端側にペン部５３３が設けられて、筆記具５３０を形成している。
図５（ｃ）に示すように、筆記具挿通部５３２に形成された切り欠きは、図５（ｂ）に示した筆記具５２０と比較して、円弧状に切り取られた自由端５３２ｆの先端が細くなるように形成されているので、ホルダー１０の中央に立設した支持柱１２（図１参照）に装着した筆記具５３０がはずれにくくなる。また、自由端５３２ｆに対向する部分５３１ｅが曲線状に丸められているため、ホルダー１０の中央に立設した支持柱１２（図１参照）を、さらに容易に筆記具挿通部５３２に導入することができる。
【００３３】
図６は、筆記具の第１の実施形態のさらに他の形態を説明するための図である。図６（ａ）、（ｂ）は、それぞれ筆記具５４０，５５０の平面図である。
図６（ａ）に示す筆記具５４０は、短冊状の筆記具本体５４１と、筆記具本体５４１の略中央部に挿通孔が空けられている筆記具挿通部５４２と、筆記具本体５４１の両端にそれぞれ設けたペン部５４３ａ，５４３ｂとを有している。つまり、筆記具本体５４１は、略中央部に筆記具挿通部５４２を設け、両端にペン部５４３ａ，５４３ｂを設けることにより、筆記具５４０を形成している。筆記具５４０は、筆記具本体５４１の両端にそれぞれペン部５４３ａ，５４３ｂを有する。このため、例えば、色の異なる２色ペンの筆記具５４０とすることができる、又は、油性ペンと水性ペンというように種類の異なる２種類のペンを有する筆記具５４０とすることができる。インクの乾きを抑制するために、ペン部５４３ａ，５４３ｂに対応してキャップ部をそれぞれ設けてもよいことはいうまでもない。
【００３４】
図６（ｂ）に示す筆記具５５０は、短冊状の筆記具本体５５１と、筆記具本体５５１の略中央部に挿通孔が空けられている筆記具挿通部５５２と、筆記具本体５５１の両端にそれぞれ設けたペン部５５３ａ，５５３ｂとを有している。図６（ｂ）に示すように、筆記具５５０は、中央部分の幅が両端部分の幅より大きく、全体として楕円形状を有している。
【００３５】
（第２の実施形態）
図７は、筆記具の第２の実施形態を説明するための図である。具体的には、図７は、カバー２０に装着する筆記具５６０を説明するための図である。図７（ａ）は、筆記具５６０を装着したカバー２０の平面図であり、図７（ｂ）は、筆記具５６０をカバー２０に装着する様子を示している。
【００３６】
図７（ａ）に示すように、筆記具５６０は、縦長の筆記具本体５６１と、筆記具本体５６１の一端側に設けられたペン部（不図示）に被せて使用するキャップ部５６５と、筆記具本体５６１に取り付けられた吸盤部２４とを有している。一方、カバー２０は、上板２１及び上板２１の周囲に沿ってかつ上板２１の下方に延びて形成された外周壁２２を有する。また、上板２１の中央には突起部２３が設けられている。そして、筆記具５６０は、吸盤部２４により、突起部２３の横脇の上板２１上に吸着されている。この結果、筆記具５６０は、カバー２０に着脱可能に装着されていることとなる。
【００３７】
より具体的には、図７（ｂ）に示すように、筆記具５６０は、筆記具本体５６１に取り付けられた吸盤部２４により、カバー２０の上板２１上に水平に装着される。尚、カバー２０は、上板２１と外周壁２２とにより、積み重ねた複数の光記録媒体３０を収容する収容空間を形成する。そして、上板２１と外周壁２２とが形成する空間内に、ホルダー１０の支持柱１２（図７（ｂ）では、支持柱１２の代わりに、支持柱１２に挿通して積み重ねられた、複数の光記録媒体３０が図示されている。）を収容するようにカバー２０をホルダー１０に被せた場合に、外周壁２２の下端部２２ｂが、カバー１０の底部１１に嵌合するようになっている。
なお、本実施形態においては、筆記具５６０として一般的に用いられる円筒形状の筆記具（ペン）を用いているが、筆記具５６０の形状はこれに限られないことはいうまでもない。
【００３８】
（第３の実施形態）
図８は、筆記具の第３の実施形態を説明するための図である。具体的には、図８は、カバー２０に装着する筆記具の他の実施形態（筆記具５７０）を説明するための図である。図８（ａ）は、筆記具５７０の平面図であり、図８（ｂ）は、筆記具５７０をカバー２０に装着する様子を示している。
【００３９】
図８（ａ）に示すように、筆記具５７０は、中央部に所定の径（φ）を有する中心孔が空いたドーナツ形状を有している。筆記具５７０は、円弧状に形成された一端にペン部５７３ａ，５７３ｂをそれぞれ備える円弧状に形成された２個の筆記具本体５７１，５７２を有し、ペン部５７３ａ，５７３ｂとペン受け部５７４ａ，５７４ｂとを嵌合して、一体化している。カバー２０の上板２１に設けられた円形の突起部２３に嵌合可能とするために、中心孔の径（φ）は、突起部２３の径と略同一とされている。筆記具５７０は、使用に際して、２個の筆記具本体５７１，５７２にそれぞれ分解して使用する（ａ１→ａ２）。
筆記具本体５７１，５７２を構成する材料は、特に限定されないが、例えば、ゴム材料、プラスチック材料等が挙げられる。
【００４０】
図８（ｂ）に示すように、所定の厚さを有するドーナツ形状の筆記具５７０は、カバー２０の上板２１の中央部に設けた円形の突起部２３と筆記具５７０の内側の曲面とを嵌合することにより、カバー２０に着脱自在に装着する（ｂ１→ｂ２）。このとき、筆記具５７０の内側の曲面に突起部２３の側面が当接し、突起部２３の側面が筆記具５７０に覆われる。
尚、筆記具５７０の厚さは、特に限定されないが、通常、１ｍｍ〜１０ｍｍである。
【００４１】
図９は、筆記具の第３の実施形態の他の形態を説明するための図である。具体的には、図９は、筆記具５８０をカバー２０に装着する様子を示している。
図９に示すように、筆記具５８０は、縦長の筆記具本体５８１と、筆記具本体５８１の一端側に設けられたペン部（不図示）に被せて使用するキャップ部５８５と、筆記具本体５８１に取り付けられたリング部２５とを有している。カバー２０の上板２１に設けられた円形の突起部２３に嵌合可能とするために、リング部２５の内径は、突起部２３の径と略同一とされている。
【００４２】
そして所定の厚さを有するリング部２５が筆記具本体５８１に取り付けられた筆記具５８０は、カバー２０の上板２１の中央部に設けた円形の突起部２３とリング部２５の内側の曲面とを嵌合することにより、カバー２０に着脱自在に装着する（ｄ１→ｄ２）。このとき、リング部２５内側の曲面に突起部２３の側面が当接し、リング部２５を介して、筆記具５８０がカバー２０に装着される。
尚、リング部２５の厚さは、特に限定されないが、通常、１ｍｍ〜１０ｍｍである。
【００４３】
（第４の実施形態）
図１０は、筆記具の第４の実施形態を説明するための図である。具体的には、図１０は、カバー２０に装着する筆記具の他の実施形態（筆記具５９０）を説明するための図である。図１０（ａ）は、筆記具５９０を装着したカバー２０の平面図であり、図１０（ｂ）は、筆記具５９０をカバー２０に装着する様子を示している。
【００４４】
図１０（ａ）に示すように、筆記具５９０は、縦長の筆記具本体５９１と、筆記具本体５９１の一端側に設けられたペン部（不図示）に被せて使用するキャップ部５９５と、筆記具本体５９１の他端側に設けられた内周挿嵌部２７と、キャップ部５９５の先端に設けられた外周挿嵌部２６とを有している。一方、カバー２０は、上板２１及び上板２１の周囲に沿って上板２１から下方に延びて形成された外周壁２２を有する。さらに、外周壁２２が上板２１の上面よりも上方に張り出して外周上壁部２２ｔが形成されると共に、上板２１の上面中央には円形の突起部２３が形成されている。そして、外周挿嵌部２６が外周上壁部２２ｔの内面に当接すると共に、内周挿嵌部２７が突起部２３の外周面に当接することにより、筆記具５９０がカバー２０（ひいては、光記録媒体収容用ケース１００）に装着されている。
【００４５】
より具体的には、図１０（ｂ）に示すように、筆記具５９０は、外周上壁部２２ｔの内面と突起部２３の外周面との間に挿嵌される。この際、外周挿嵌部２６が外周上壁部２２ｔの内面に当接すると共に、内周挿嵌部２７が突起部２３の外周面に当接する。この結果、筆記具５９０は、カバー２０（光記録媒体収容用ケース１００）に脱着が可能となる。
【００４６】
なお、本実施の形態においては、筆記具５９０として、円筒形状の筆記具５９０を用いたが、筆記具５９０の形状はこれに限られないことはいうまでもない。例えば、筆記具本体５９１の形状を扁平な直方体としてもよい。また、外周挿嵌部２６、内周挿嵌部２７の形状も種々変形できることはいうまでもない。さらに、キャップ部５９５と外周挿嵌部２６とを一体的に形成してもよいし、筆記具本体５９１と内周挿嵌部２７とを一体的に形成してもよい。
【００４７】
（第５の実施形態）
図１１は、筆記具の第５の実施形態を説明するための図である。具体的には、図１１は、カバー２０に装着する筆記具６００を説明するための図である。図１１（ａ）は、筆記具６００を装着したカバー２０の平面図であり、図１１（ｂ）は、筆記具６００をカバー２０に装着する様子を示している。
【００４８】
図１１（ａ）に示すように、筆記具６００は、縦長の筆記具本体６０１と、筆記具本体６０１の一端側に設けられたペン部（不図示）に被せて使用するキャップ部６０５とを有している。筆記具６００は、ホルダー１０に被せて光記録媒体３０を収納するカバー２０に、上板２１中央の突起部２３の横脇に設けた取り付け具２８により、着脱可能に装着されている。尚、カバー２０は、上板２１と外周壁２２とにより、積み重ねた複数の光記録媒体３０を収容する収容空間を形成する。
図１１（ｂ）に示すように、筆記具６００は、筆記具本体６０１の湾曲した形状に応じた所定の曲面を有するように形成された取り付け具２８により、カバー２０の上板２１上に水平に装着される。
【００４９】
以上、本実施の形態において詳述した光記録媒体用しおり４００は、細長い短冊状の形状を有し、複数の積み重ねた光記録媒体３０の間に挟装するとき、光記録媒体３０の外周部より外側にはみ出している表示部４０３に記載した所定の情報等を、光記録媒体３０を複数枚重ねた状態で一目で認識することができる。
【図面の簡単な説明】
【００５０】
【図１】光記録媒体用しおりの第１の実施形態を説明するための図である。
【図２】光記録媒体用しおりの他の実施形態を説明するための図である。
【図３】さらに、光記録媒体用しおりの他の実施形態を説明するための図である。
【図４】筆記具の第１の実施形態を説明するための図である。
【図５】筆記具の第１の実施形態の他の形態を説明するための図である。
【図６】筆記具の第１の実施形態のさらに他の形態を説明するための図である。
【図７】筆記具の第２の実施形態を説明するための図である。
【図８】筆記具の第３の実施形態を説明するための図である。
【図９】筆記具の第３の実施形態の他の形態を説明するための図である。
【図１０】筆記具の第４の実施形態を説明するための図である。
【図１１】筆記具の第５の実施形態を説明するための図である。
【図１２】ディスク収容ケースを説明するための図である。
【符号の説明】
【００５１】
１０…ホルダー、１１…底部、１１’…外周縁部、１２…支持柱、２０…カバー、２１…上板、２２…外周壁、２２ｂ…外周壁の下端部、２２ｔ…外周上壁部、２３…突起部、２４…吸盤部、２５…リング部、２６…外周挿嵌部、２７…内周挿嵌部、２８…取り付け具、３０…光記録媒体、３１…中心孔、３２…クランピングエリア、１００…ディスク収納ケース（光記録媒体収容用ケース）、４００，４１０，４２０，４３０，４４０，４５０…光記録媒体用しおり、４０１，４１１，４２１，４３１，４４１，４５１…本体、４０２，４１２，４２２，４３２，４４２，４５２…挿通部、４０３，４１３，４２３，４３３，４４３，４４３ａ，４４３ｂ，４５３，４５３ａ，４５３ｂ…表示部、５００，５１０，５２０，５３０，５４０，５５０，５６０，５７０，５８０，５９０，６００…筆記具、５０１，５１１，５２１，５３１，５４１，５５１，５６１，５７１，５７２，５８１，５９１，６０１…筆記具本体、５０２，５１２，５２２，５３２，５４２，５５２…筆記具挿通部、５０３，５１３，５２３，５３３，５４３ａ，５４３ｂ，５５３ａ，５５３ｂ，５７３ａ，５７３ｂ…ペン部、５０４，５７４ａ，５７４ｂ…ペン受け部、５０５，５６５，５８５，５９５，６０５…キャップ部
【図１】
2007118992.tif 000003
【図２】
2007118992.tif 000004
【図３】
2007118992.tif 000005
【図４】
2007118992.tif 000006
【図５】
2007118992.tif 000007
【図６】
2007118992.tif 000008
【図７】
2007118992.tif 000009
【図８】
2007118992.tif 000010
【図９】
2007118992.tif 000011
【図１０】
2007118992.tif 000012
【図１１】
2007118992.tif 000013
【図１２】
2007118992.tif 000014